(57)【要約】【課題】ガイドレールを容易に取外すことができ、メンテナンス性の向上が図れるシャッターを提供する。【解決手段】建物の開口２の上部に設けられるマグサ３及び開口２の左右に設けられる縦枠４，４と、前記マグサ３の位置に設けられスラット５を巻上げ下げする巻取りシャフト６を収容したケース７と、前記縦枠４，４に着脱可能に設けられスラット５を案内するガイドレール８，８とを備え、前記マグサ３にはガイドレール８の上端部を挿通可能な挿通口ｄが設けられ、前記ガイドレール８の上端部にはスラット５をその巻径に対応可能に案内するために前記挿通口ｄよりも大きく拡開した案内部材２１ａ，２１ｂが設けられ、該案内部材２１ａ，２１ｂがガイドレール８の上端部に取付具２２にて着脱可能に取付けられている。【選択図】　　　　　図３
2004052340.tif 000002
【特許請求の範囲】
【請求項１】
建物の開口の上部に設けられるマグサ及び開口の左右に設けられる縦枠と、前記マグサの位置に設けられスラットを巻上げ下げする巻取りシャフトを収容したケースと、前記縦枠に着脱可能に設けられスラットを案内するガイドレールとを備え、前記マグサにはガイドレールの上端部を挿通可能な挿通口が設けられ、前記ガイドレールの上端部にはスラットをその巻径に対応可能に案内するために前記挿通口よりも大きく拡開した案内部材が設けられ、該案内部材がガイドレールの上端部に取付具にて着脱可能に取付けられていることを特徴とするシャッター。
【発明の詳細な説明】
【０００１】
【発明の属する技術分野】
本発明は、シャッターに係り、特にガイドレールを容易に取外せるようにしてメンテナンス性の向上を図ったシャッターに関する。
【０００２】
【従来の技術】
シャッターとしては、図６に示すように、建物の開口２の上部に設けられるマグサ３及び開口２の左右に設けられる縦枠４と、前記マグサ３の位置に設けられスラット５を巻上げ下げする巻取りシャフト６を収容したケース７と、前記縦枠４に着脱可能に設けられスラット５を案内するガイドレール８とを備えたものが知られている。
【０００３】
前記マグサ３にはガイドレール８の上端部を挿通可能な挿通口ｄが設けられ、前記ガイドレール８の上端部にはスラット５をその巻径に対応可能に案内するために前記挿通口ｄよりも大きく拡開した案内部３０ａ，３０ｂが一体に設けられている。前記マグサ３は、前後のマグサ材３ａ，３ｂからなり、これらマグサ材３ａ，３ｂが左右の柱に取付けたブラケットに両端部を溶接することにより取付けられる。
【０００４】
前記マグサ３の施工後に、前後のマグサ材３ａ，３ｂ間の挿通口ｄにガイドレール８の上端部を挿通させることは案内部３０ａ，３０ｂの存在により困難であることから、例えば前部のマグサ材３ａを取付ける前にガイドレール８を取付け、ガイドレール８の取付け後に前記マグサ材３ａを溶接で取付けるという施工方法が採用されている。
【０００５】
【発明が解決しようとする課題】
とろろで、前記シャッターにおいては、例えば車庫等に設置されている場合、スラット５に車が当ってスラット５が変形したり、傷付いたりするため、修理等のメンテナンスを要する場合があり、この場合、ガイドレール８を取外す必要がある。
【０００６】
しかしながら、前記シャッターにおいては、ガイドレール上端の案内部３０ａ，３０ｂがマグサ３に引っ掛って引き抜けないことから、ガイドレール８を取外すには例えば前部のマグサ材３ａをその溶接箇所を削って取外さなければならず、作業が大掛かりとなり、メンテナンス性に劣る問題があった。
【０００７】
本発明は、前記事情を考慮してなされたもので、ガイドレールを容易に取外すことができ、メンテナンス性の向上が図れるシャッターを提供することを目的とする。
【０００８】
【課題を解決するための手段】
本発明は、建物の開口の上部に設けられるマグサ及び開口の左右に設けられる縦枠と、前記マグサの位置に設けられスラットを巻上げ下げする巻取りシャフトを収容したケースと、前記縦枠に着脱可能に設けられスラットを案内するガイドレールとを備え、前記マグサにはガイドレールの上端部を挿通可能な挿通口が設けられ、前記ガイドレールの上端部にはスラットをその巻径に対応可能に案内するために前記挿通口よりも大きく拡開した案内部材が設けられ、該案内部材がガイドレールの上端部に取付具にて着脱可能に取付けられていることを特徴とする。
【０００９】
【発明の実施の形態】
以下に、本発明の実施の形態を添付図面に基いて詳述する。図１は本発明の実施の形態を示すシャッターの正面図、図２は図１のＡ−Ａ線拡大断面図、図３はシャッターの縦断面図、図４は図３のＢ部拡大断面図、図５はガイドレールにおける一方のガイド部材を取外した状態を示す斜視図である。
【００１０】
図１、図２ないし図３に示すように、シャッター１は、建物の開口２の上部に設けられるマグサ３及び開口２の左右に設けられる縦枠４，４と、前記マグサ３の位置に設けられスラット５を巻上げ下げする巻取りシャフト６を収容したケース７と、前記縦枠４，４に着脱可能に設けられスラット５を案内するガイドレール８，８とを備えている。前記マグサ３にはガイドレール８の上端部を挿通可能な挿通口ｄが設けられている。前記縦枠４は、開口２の左右の柱１０の前面に取付具例えばネジ１１で取付けらている。柱１０が鉄骨の場合には、縦枠４は溶接で取付けられていても良い。
【００１１】
ガイドレール８，８の対向部には、スラットの左右両端部を上下方向に摺動自在に案内するガイド溝８ａ，８ａが形成されている。すなわち、ガイドレール８は断面略コ字状に形成されている。ガイドレール８は、縦枠４に例えばネジ１４で着脱可能に取付けられている。図示例では、縦枠４は前方に開放された断面略コ字状に形成され、その両側片４ａ，４ｂの先端側が内側に相対向するよう折り曲げられ、その外側片４ａの折り曲げ部が係合受部１２とされている。
【００１２】
ガイドレール８の背面には背面側に開放された断面略コ字状の取付形材１３がネジ２７で固定されている。この取付形材１３の外側片１３ａには前記係合受部１２に内側から係合する係合部１５が形成され、内側片１３ｂが前記縦枠４の内側片４ｂの外側面に当接されてネジ１４で固定されている。すなわち、図示例では縦枠４に対してガイドレール８が係合とネジ止めにより着脱可能に取付けられているが、ネジ止めのみにより着脱可能に取付けられていても良い。
【００１３】
前記マグサ３は、前後のマグサ材３ａ，３ｂからなり、両マグサ材３ａ，３ｂは両柱１０，１０に取付けられた図示しないブラケットに両端部が固定されて水平に掛け渡されている。前後のマグサ材３ａ，３ｂ間に前記ガイドレール８の上端側が挿通可能で、且つスラット５が上下方向に通過可能なスリット状の前記挿通口ｄが形成されている。前記ガイドレール８の上端側前後面部には、両マグサ材８ａ，８ｂの対向部に下方から係合するマグサ受け９，９が突設されている。前記ケース（シャッターボックスとも言う）７は、外壁１６に取付ネジ１７で固定される背面板１８ａ、この背面板１８ａと平行な正面板１８ｂ、天板１８ｃ、底板１８ｄ及び両側の側面板１８ｅ，１８ｅにより箱状に形成されている。
【００１４】
背面板１８ａは後部のマグサ３ｂの上部に配置され、背面板１８ａの上縁部、天板１８ｃの前縁部及び正面板１８ｂの下縁部にはコーナー用フレーム１９ａ，１９ｂ，１９ｃが配され、これらフレーム１９ａ，１９ｂ，１９ｃ及び前部のマグサ材３ａ，３ｂを介して背面板１８ａ、正面板１８ｂ、天板１８ｃ、底板１８ｄ及び両側面板１８ｅ，１８ｅが箱状に組立てられる。底板１８ｄが下部コーナー用フレーム１９ｃと前部のマグサ材１３ａの下面間にネジ２０で着脱可能に取付けられており、この底板１８ｄを取外すことにより、ケース７内のメンテナンスが可能になっている。巻取りシャフト６はケース７の両側面板１８ｅ，１８ｅ間に軸受を介して回転自在に支持されている。シャッター１は、手動式であっても良く、電動式であっても良い。
【００１５】
前記ガイドレール８の上端部にはスラット５をその巻径に対応可能に案内するために前記マグサ３の挿通口ｄよりも大きく拡開した案内部材２１ａ，３１ｂが設けられ、これら案内部材３１ａ，３１ｂがガイドレール８の上端部に取付具例えばネジ２２にて着脱可能に取付けられている。図３に示すようにスラット５の巻上げ巻き下げにより巻取りシャフト６におけるスラット５の巻径が変化するため、スラット５がガイドレール８内に入る際に引っ掛らないように円滑に案内する目的で、ガイドレール８の上端部に一対の案内部材２１ａ，２１ｂが設けられている。
【００１６】
前記案内部材２１ａ，２１ｂは、上方へ向ってスラット５の巻径方向すなわち室内外方向に末広がり状ないし逆ハの字状に拡開ないし傾斜して形成されている。この場合、図４にも示すように、案内部材２１ａ，２１ｂがマグサ３の挿通口ｄの開口幅よりも大きく広がっているため、スラット５等のメンテナンス時にガイドレール８の上端をマグサ３の挿通口ｄから引き抜こうとした時に、案内部材２１ａ，２１ｂが挿通口ｄの上縁部に引っ掛ってガイドレール８を引き抜くことができない。そこで、案内部材２１ａ，２１ｂをガイドレール８の上端部にネジ２２で着脱可能に設け、スラット５等のメンテナンス時には少なくとも一方の案内部材２１ａを取外すことによりガイドレール８をマグサ３の挿通口ｄから容易に引き抜いて取外すことができるように構成されている。
【００１７】
前記ガイドレール８の上端は、マグサ３の挿通口ｄを下方から上方に挿通され、マグサ３の上面よりも若干突出した設置高さ位置で長手方向に直角に切断されている。案内部材２１ａ，２１ｂは、剛性ないし強度を持たせるために金属製の板材からなる芯材２３と、この芯材２３にスラット５が接触ないし衝突する時に発生する音ないし騒音の防音対策としてこの芯材２３を覆う合成樹脂製のカバー材２４とによって構成されている。前記芯材２３は、ガイドレール８内部の対向内側面に当接されて外側からネジ２２を捩じ込んで固定される断面逆Ｌ字状の脚部である取付片部２３ａと、この取付片部２３ａの上端から外側斜め上方へ延出した傾斜片部２３ｂとを有している。前記カバー材２４は、芯材２３の傾斜片部２３ｂの上面を覆うようにして設けられている。
【００１８】
各案内部材２１ａ，２１ｂは、図５にも示すように、それぞれ左右二個のネジ２２，２２で固定されることが好ましい。また、ガイドレール８の上端部には、その外側面部を斜め上方に拡開傾斜するように切り起こした側部案内部２５が形成されており、この側部案内部２５によりスラット５が左右方向のずれを修正されてガイドレール８内に導入されるようになっている。
【００１９】
以上の構成からなるシャッター１によれば、建物の開口２の上部に設けられるマグサ３及び開口２の左右に設けられる縦枠４，４と、前記マグサ３の位置に設けられスラット５を巻上げ下げする巻取りシャフト６を収容したケース７と、前記縦枠４，４に着脱可能に設けられスラット５を案内するガイドレール８，８とを備え、前記マグサ３にはガイドレール８の上端部を挿通可能な挿通口ｄが設けられ、前記ガイドレール８の上端部にはスラット５をその巻径に対応可能に案内するために前記挿通口ｄよりも大きく拡開した案内部材２１ａ，２１ｂが設けられ、該案内部材２１ａ，２１ｂがガイドレール８の上端部に取付具例えばネジ２２にて着脱可能に取付けられているため、ガイドレール８を容易に取外すことができ、メンテナンス性の向上が図れる。
【００２０】
具体的には、例えばシャッター１が車庫の開口２に設置されていて、車を接触させて変形ないし傷付いたスラット５やガイドレール８等のメンテナンスを行うために、ガイドレール８を取外す場合には、例えばケース７の底板１８ｄを取外し、ケース７内にねじ回しを挿入してガイドレール８の上端部に案内部材２１ａを固定しているネジ２２を緩め、ガイドレール８の上端から少なくとも一方例えば前方の案内部材２１ａを取外す。
【００２１】
次に、ガイドレール８を縦枠４に固定しているネジ１１を緩めて縦枠４からガイドレール８を取外し、ガイドレール８の上端をマグサ３の挿通口ｄから引き抜いてガイドレール８を取外せば良い。このようにガイドレール８を容易に取外すことができるので、作業性の向上が図れると共に、スラット等のメンテナンスを容易に行うことが可能となり、メンテナンス性の向上が図れる。メンテナンス後、ガイドレール８を取付ける場合には、前記とは逆の手順で取付け作業を行えば良い。
【００２２】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では一対の案内部材２１ａ，２１ｂが別体に形成されているが、一体に繋がった状態に形成されていてもよい。
【００２３】
【発明の効果】
以上要するに本発明によれば、建物の開口の上部に設けられるマグサ及び開口の左右に設けられる縦枠と、前記マグサの位置に設けられスラットを巻上げ下げする巻取りシャフトを収容したケースと、前記縦枠に着脱可能に設けられスラットを案内するガイドレールとを備え、前記マグサにはガイドレールの上端部を挿通可能な挿通口が設けられ、前記ガイドレールの上端部にはスラットをその巻径に対応可能に案内するために前記挿通口よりも大きく拡開した案内部材が設けられ、該案内部材がガイドレールの上端部に取付具にて着脱可能に取付けられているため、ガイドレールを容易に取外すことができ、メンテナンス性の向上が図れる。
【図面の簡単な説明】
【図１】本発明の実施の形態を示すシャッターの正面図である。
【図２】図１のＡ−Ａ線拡大断面図である。
【図３】シャッターの縦断面図である。
【図４】図３のＢ部拡大断面図である。
【図５】ガイドレールにおける一方のガイド部材を取外した状態を示す斜視図である。
【図６】従来のシャッターを示す概略的断面図である。
【符号の説明】
１　シャッター
２　建物の開口
３　マグサ
４　縦枠
５　スラット
６　巻取りシャフト
７　ケース
８　ガイドレール
ｄ　挿通口
２１ａ，２１ｂ　案内部材
２２　ネジ（取付具）
【図１】
2004052340.tif 000003
【図２】
2004052340.tif 000004
【図３】
2004052340.tif 000005
【図４】
2004052340.tif 000006
【図５】
2004052340.tif 000007
【図６】
2004052340.tif 000008